(57)【要約】【課題】ＩＰ端末のＩＰアドレスを取得する作業を利用者が実行せずに、ＩＰパケットを送受信したＩＰ端末を同定することができるネットワーク接続ＩＰ端末検出装置を提供することを目的とする。【解決手段】ネットワーク７に接続されているＩＰ端末において、ネットワークに接続されているＩＰ端末の一覧を取得するＩＰ端末一覧取得手段と、上記ＩＰ端末一覧取得手段が取得した各ＩＰ端末に、ＩＤ情報を送信するＩＤ情報送信手段とを有することを特徴とするネットワーク接続ＩＰ端末検出装置である。【選択図】図１
2011003949.tif 000002
【特許請求の範囲】
【請求項１】
ネットワークに接続されているＩＰ端末において、
ネットワークに接続されているＩＰ端末の一覧を取得するＩＰ端末一覧取得手段と；
上記ＩＰ端末一覧取得手段が取得した各ＩＰ端末に、ＩＤ情報を送信するＩＤ情報送信手段と；
を有することを特徴とするネットワーク接続ＩＰ端末検出装置。
【請求項２】
請求項１において、
取得したＩＰ端末一覧を画面上に表示するＩＰ端末一覧表示手段を有することを特徴とするネットワーク接続ＩＰ端末検出装置。
【請求項３】
請求項１において、
同一時間に１台のＩＰ端末にのみＩＤ情報を送信するＩＤ情報逐次送信手段と；
ＩＤ情報を送信しているＩＰ端末名を表示するＩＤ情報送信中端末表示手段と；
を有することを特徴とするネットワーク接続ＩＰ端末検出装置。
【請求項４】
請求項１において、
個々のＩＰ端末に互いに異なる音を発生させるＩＤ情報を送信する音発生用ＩＤ情報送信手段を有することを特徴とするネットワーク接続ＩＰ端末検出装置。
【請求項５】
請求項１において、
個々のＩＰ端末に一定の時間間隔で、ＩＰ端末に音を発生させるＩＤ情報を送信する音発生用ＩＤ情報逐次送信手段と；
ＩＤ情報を送信中のＩＰ端末名を表示するＩＤ情報送信中端末表示手段と；
を有することを特徴とするネットワーク接続ＩＰ端末検出装置。
【請求項６】
請求項２において、
ネットワークに接続されているＩＰ端末名の一覧を画面に表示するＩＰ端末一覧表示手段と；
上記ＩＰ端末一覧表示手段が表示しているＩＰ端末一覧の中から、利用者がＩＰ端末を選択するＩＰ端末選択手段と；
利用者が選択したＩＰ端末に、ＩＤ情報を送信する選択ＩＰ端末用ＩＤ送信手段と；
を有することを特徴とするネットワーク接続ＩＰ端末検出装置。
【請求項７】
請求項４において、
ネットワークに接続されているＩＰ端末名の一覧を画面に表示するＩＰ端末一覧表示手段と；
上記ＩＰ端末一覧表示手段が表示しているＩＰ端末一覧の中から、利用者がＩＰ端末を選択するＩＰ端末選択手段と；
を有することを特徴とするネットワーク接続ＩＰ端末検出装置。
【発明の詳細な説明】
【技術分野】
【０００１】
本発明は、ネットワーク上を伝送されるＩＰパケットに基づいて、ネットワークに接続されているＩＰ端末を検出するネットワーク接続ＩＰ端末検出装置に関する。
【背景技術】
【０００２】
従来の接続ＩＰ端末検出装置は、たとえばネットワーク上を伝送されるＩＰパケットを取得し、ＩＰパケットの詳細やＩＰパケットで構成されているプロトコル、ＩＰパケットを送受信するＩＰ端末のＩＰアドレスを表示するソフトウェアが知られている（Ｗｉｒｅｓｈａｒｋ，  ｈｔｔｐ：／／ｗｗｗ．ｗｉｒｅｓｈａｒｋ．ｏｒｇ／参照）。
【０００３】
ＩＰ端末の一覧を見やすく表示するために、各ＩＰ端末の接続構成をグラフ形式で表示するグラフ図形生成方式が知られている（たとえば、特許文献１参照）。
【０００４】
また、ネットワークに接続されているＩＰ端末の物理的配置と接続構成とをデータベースに予め格納し、物理的位置関係が分かるように表示する方式が知られている（たとえば、特許文献２参照）。
【先行技術文献】
【特許文献】
【０００５】
【特許文献１】特開平０４−２２９８９８号公報
【特許文献２】特開平０６−１０３２００号公報
【発明の概要】
【発明が解決しようとする課題】
【０００６】
インターネットに代表されるコンピュータネットワークにおいて、ネットワークに接続されているＩＰ端末の状態を検査、診断するために、ネットワーク上を伝送しているＩＰパケットをモニタする手法が広く用いられている。
【０００７】
一般に、ネットワーク上を伝送しているＩＰパケットを利用して、ＩＰ端末の接続確認や、接続状況の診断を行う場合、問題のあるＩＰパケットに基づいて、当該ＩＰパケットを送受信したＩＰ端末を同定する必要がある。
【０００８】
また、個別のＩＰ端末の状態を検査、診断するだけでなく、ネットワーク構成を理解するために、ネットワークに接続されているＩＰ端末の一覧を取得、表示する場合も多い。この場合も、ネットワーク上を伝送しているＩＰパケットから、ＩＰ端末の一覧を取得、表示する場合がある。
【０００９】
これらの場面において、複数のＩＰ端末が、ネットワークに接続されている場合、どのＩＰ端末がどのＩＰパケットを送受信しているかの判定が困難であるという問題がある。
【００１０】
観察されたＩＰパケットから、ＩＰパケットを送受信したＩＰ端末を同定する方法としては、一般に各ＩＰパケットに割り当てられているＩＰアドレスを調べ、当該ＩＰアドレスが割り当てられているＩＰ端末を決定する手法が用いられる。
【００１１】
しかし、一般にＩＰ端末に割り当てられているＩＰアドレスを利用者が取得する手順は、ＩＰ端末によって異なり、操作手順も複雑なことが多いので、高度な知識を要する作業であるという問題がある。
【００１２】
また、ＩＰ端末によっては、ＩＰ端末に割り当てられているＩＰアドレスを利用者が取得する手順が用意されていない場合もある。
【００１３】
ＩＰパケットの伝送方式として一般的なイーサネット（登録商標）におけるＩＰ端末の同定支援方法として、ＩＰパケットの送受信に用いられているＭＡＣ（Media Access Control）アドレスから、ＩＰパケットを送受信するネットワークインタフェースのメーカ名を判別する方法が用いられる場合がある。この手法では、ＩＰ端末のメーカ名とネットワークインタフェースのメーカ名とが一致しない場合があるという問題がある。
【００１４】
また、同一メーカのＩＰ端末が複数接続されている場合、ネットワークインタフェースのメーカ名からは、両端末を区別することができないという問題がある。
【００１５】
さらに、一部のＩＰ端末では、ＭＡＣアドレスを利用者が自ら変更することが可能であるので、ＭＡＣアドレスから得られたメーカ名が正確ではない場合がある。
【００１６】
別の手段として、ＵＰｎＰ（Universal Plug and Play）に代表される機器名情報を取得可能なプロトコルを利用し、得られた機器名から、ＩＰアドレスと機器名との対応を取得する方法も存在する（ｈｔｔｐ：／／ｗｗｗ．ｕｐｎｐ．ｏｒｇ／参照）。しかし、この手法は、対応していないＩＰ端末が多いので、利用可能なＩＰ端末が限定される。また、機器名の命名方法が統一されていないので、取得した名称から機器を特定できない場合がある。さらに、複数の同一機器が接続されている場合、名称からは、どちらの機器であるかを特定することができないという問題がある。
【００１７】
別の手段として、ＩＰ端末に関する情報、物理的配置等をデータベースに予め格納し、格納された情報に基づいて表示する手法がある。この手法では、データベースに格納する情報を予め作成する必要があるので、情報の作成に労力を要し、また、情報の生成作業に精通している必要があるという問題がある。
【００１８】
本発明は、ＩＰ端末のＩＰアドレスを取得する作業を利用者が実行せずに、ＩＰパケットを送受信したＩＰ端末を同定することができるネットワーク接続ＩＰ端末検出装置を提供することを目的とする。
【課題を解決するための手段】
【００１９】
本発明は、ネットワーク７に接続されているＩＰ端末において、ネットワークに接続されているＩＰ端末の一覧を取得するＩＰ端末一覧取得手段と、上記ＩＰ端末一覧取得手段が取得した各ＩＰ端末に、ＩＤ情報を送信するＩＤ情報送信手段とを有することを特徴とするネットワーク接続ＩＰ端末検出装置である。
【発明の効果】
【００２０】
本発明によれば、ネットワークに多数のＩＰ端末が接続され、個々のＩＰ端末を把握することが困難である場合に、ＩＰアドレスとＩＰ端末との対応関係を、簡単な操作のみで、利用者が把握することができるという効果を奏する。
【図面の簡単な説明】
【００２１】
【図１】本発明の実施例１であるネットワーク接続ＩＰ端末検出装置ＴＤ１を示すブロック図である。
【図２】ネットワーク接続ＩＰ端末検出装置ＴＤ１とＩＰ端末１０１〜１０４との接続を示す概念図である。
【図３】本発明の実施例２であるネットワーク接続ＩＰ端末検出装置ＴＤ２を示すブロック図である。
【図４】本発明の実施例３であるネットワーク接続ＩＰ端末検出装置ＴＤ３を示すブロック図である。
【図５】本発明の実施例４であるネットワーク接続ＩＰ端末検出装置ＴＤ４を示すブロック図である。
【図６】本発明の実施例５であるネットワーク接続ＩＰ端末検出装置ＴＤ５を示すブロック図である。
【図７】本発明の実施例６であるネットワーク接続ＩＰ端末検出装置ＴＤ６を示すブロック図である。
【図８】本発明の実施例７であるネットワーク接続ＩＰ端末検出装置ＴＤ７を示すブロック図である。
【発明を実施するための形態】
【００２２】
発明を実施するための形態は、以下の実施例である。
【実施例１】
【００２３】
図１は、本発明の実施例１であるネットワーク接続ＩＰ端末検出装置ＴＤ１を示すブロック図である。
【００２４】
ネットワーク接続ＩＰ端末検出装置ＴＤ１は、ＩＰパケット送受信手段２と、ＩＰ端末一覧取得手段３と、ＩＤ情報生成手段４と、ＩＤ情報送信手段５と、ＩＰ端末一覧情報格納手段６とを有する。
【００２５】
ネットワーク接続ＩＰ端末検出装置ＴＤ１は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００２６】
ＩＤ情報生成手段４は、ＩＰ端末一覧情報格納手段６に格納されているＩＰアドレス一覧において、ＩＰアドレスに対応するＩＤ情報を生成する。このＩＤ情報は、たとえば、単純な通し番号である。
【００２７】
図２は、ネットワーク接続ＩＰ端末検出装置ＴＤ１とＩＰ端末１０１〜１０４との接続を示す概念図である。
【００２８】
次に、ＩＰ端末１０１に着目した場合における実施例１の動作について説明する。
【００２９】
ネットワーク７を介して、ＩＰ端末１０１が、ネットワーク接続ＩＰ端末検出装置ＴＤ１にＩＤ情報取得要求２０１を出し、ＩＤ情報取得を要求すると、ネットワーク接続ＩＰ端末検出装置ＴＤ１内のＩＤ情報生成手段４が、要求元ＩＰ端末１０１のＩＰアドレスに応じたＩＤ情報を生成し、この生成されたＩＤ情報を、ＩＤ情報送信手段５が、ＩＰ端末１０１に送信する。
【００３０】
ＩＤ情報取得を要求したＩＰ端末１０１は、ネットワーク接続ＩＰ端末検出装置ＴＤ１からＩＤ情報を受信し、ＩＰ端末１０１の画面に、受信したＩＤ情報を表示する。
【００３１】
つまり、ＩＰ端末１０１は、ネットワーク７に接続されているネットワーク接続ＩＰ端末検出装置ＴＤ１に、ＨＴＴＰ等、予め定められたプロトコルによって、ＩＤ取得要求２０１を出す。このときに、ネットワーク接続ＩＰ端末検出装置ＴＤ１は、ＩＤ取得要求２０１を構成するＩＰパケットを検出し、ＩＰパケットに含まれている送信元ＩＰアドレスを取得し、この取得した送信元ＩＰアドレスに対応するＩＤ情報を生成し、ＩＰ取得要求２０１を出したＩＰ端末１０１に、ＩＤ情報２０２を返信する。
【００３２】
ＩＰ端末１０２〜１０４の動作は、ＩＰ端末１０１の上記動作と同様である。
【００３３】
実施例１によれば、ネットワーク７に多数のＩＰ端末が接続され、個々のＩＰ端末を、ユーザが把握することが困難である場合に、ＩＰ端末とＩＰアドレスとの対応関係を、簡単な操作のみで、利用者が把握することができる。また、実施例１によれば、ＩＰ端末を操作して、ＩＰアドレスを表示することが困難な場合でも、個々のＩＰ端末に割り当てられているＩＰアドレス情報を、ユーザが把握することができる。
【００３４】
さらに、ＩＰアドレス以外のＩＤ情報を表示することによって、個々のＩＰ端末とＩＤ情報との対応付けが可能である。なお、上記ＩＤ情報の例は、単純な通し番号である。
【実施例２】
【００３５】
図３は、本発明の実施例２であるネットワーク接続ＩＰ端末検出装置ＴＤ２を示すブロック図である。
【００３６】
ネットワーク接続ＩＰ端末検出装置ＴＤ２は、ＩＰパケット送受信手段２と、ＩＰ端末一覧取得手段３と、ＩＤ情報生成手段４と、ＩＤ情報送信手段５と、ＩＰ端末一覧情報格納手段６と、ＩＰ端末一覧表示手段１１とを有し、画面１２に接続されている。
【００３７】
ネットワーク接続ＩＰ端末検出装置ＴＤ２は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００３８】
ＩＤ情報生成手段４は、ＩＰ端末一覧情報格納手段６に格納されているＩＰアドレス一覧について、ＩＰアドレスに対応するＩＤ情報を生成する。
【００３９】
次に、ＩＰ端末１０１に着目した場合における実施例２の動作について説明する。
【００４０】
ネットワーク７を介して、ＩＰ端末１０１が、ネットワーク接続ＩＰ端末検出装置ＴＤ１にＩＤ情報取得要求２０１を出して、ＩＤ情報取得２１０を要求すると、ＩＤ情報生成手段４が、要求元ＩＰ端末のＩＰアドレスに応じて生成したＩＤ情報を、ＩＤ情報送信手段５が送信する。
【００４１】
ＩＰ端末一覧表示手段１１は、ＩＰ端末一覧情報格納手段６に格納されているＩＰアドレスとＩＤ情報との一覧を、画面１２に表示する。
【００４２】
ＩＤ情報取得要求を行ったＩＰ端末１０１は、ネットワーク接続ＩＰ端末検出装置ＴＤ２から送信されたＩＤ情報を受信し、ＩＰ端末１０１の画面に表示する。
【００４３】
ＩＰ端末１０２〜１０４の動作は、ＩＰ端末１０１の上記動作と同様である。
【実施例３】
【００４４】
図４は、本発明の実施例３であるネットワーク接続ＩＰ端末検出装置ＴＤ３を示すブロック図である。
【００４５】
ネットワーク接続ＩＰ端末検出装置ＴＤ３は、ＩＰパケット送受信手段２と、ＩＰ端末一覧取得手段３と、ＩＤ情報生成手段４と、ＩＤ情報送信手段５と、ＩＰ端末一覧情報格納手段６と、ＩＤ情報逐次送信手段２１と、ＩＤ情報送信中端末表示手段２２とを有し、画面１２に接続されている。
【００４６】
ネットワーク接続ＩＰ端末検出装置ＴＤ３は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００４７】
ＩＤ情報生成手段４は、ＩＰ端末一覧情報格納手段６に格納されているＩＰアドレス一覧について、ＩＰアドレスに対応するＩＤ情報を生成する。
【００４８】
次に、ＩＰ端末１０１に着目した場合における実施例３の動作について説明する。
【００４９】
ＩＤ情報逐次送信手段２１は、ＩＰ端末一覧情報格納手段６に格納されているＩＰアドレスのＩＰ端末に、ＩＰアドレスに対応するＩＤ情報を、順次送信する。
【００５０】
ＩＤ情報送信中端末表示手段２２は、ＩＤ情報逐次表示手段２１が送信したＩＤ情報と送信先ＩＰ端末１０１のＩＰアドレスとの組み合わせを、画面１２に表示する。
【００５１】
ＩＤ情報取得２０１を要求したＩＰ端末１０１は、ネットワーク接続ＩＰ端末検出装置ＴＤ３から送信されたＩＤ情報を受信し、ＩＰ端末１０１の画面に表示する。
【００５２】
このときに、ＩＤ情報逐次送信手段２１は、同一時間には１台のＩＰ端末のみにＩＤ情報を送信するので、ＩＤ情報が表示されているＩＰ端末は１台のみである。したがって、ＩＤ情報が表示されているＩＰ端末１０１と、画面１２とを参照することによって、現在表示されているＩＤ情報が割り当てられているＩＰ端末のＩＰアドレスを、ユーザが知ることができる。
【００５３】
このときに、ＩＰ端末１０１に表示されているＩＤ情報は、現在、ＩＤ情報が表示されているＩＰ端末がどの端末であるかのみを、利用者が識別できれば足りるので、互いに異なるＩＤ情報である必要は必ずしもなく、また、ＩＤ情報は、単純な文字列、数字、記号、図形等であってもよい。
【００５４】
ＩＰ端末１０２〜１０４の動作は、ＩＰ端末１０１の上記動作と同様である。
【００５５】
ＩＤ情報逐次送信手段４は、同一時間に１台のＩＰ端末にのみＩＤ情報を送信するＩＤ情報逐次送信手段の例である。また、ＩＤ情報送信中端末表示手段３３は、ＩＤ情報を送信しているＩＰ端末名を表示するＩＤ情報送信中端末表示手段の例である。
【実施例４】
【００５６】
図５は、本発明の実施例４であるネットワーク接続ＩＰ端末検出装置ＴＤ４を示すブロック図である。
【００５７】
ネットワーク接続ＩＰ端末検出装置ＴＤ４は、ＩＰパケット送受信手段２と、ＩＰ端末一覧取得手段３と、ＩＤ情報生成手段４と、ＩＰ端末一覧情報格納手段６と、音発生用ＩＤ情報送信手段３１とを有する。
【００５８】
ネットワーク接続ＩＰ端末検出装置ＴＤ４は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００５９】
ＩＤ情報生成手段４は、ＩＰ端末一覧情報格納手段６に格納されているＩＰアドレス一覧について、ＩＰアドレスに対応するＩＤ情報を生成する。
【００６０】
次に、ＩＰ端末１０１に着目した場合における実施例４の動作について説明する。
【００６１】
音発生用ＩＤ情報送信手段３１は、ネットワーク７に接続されているＩＰ端末１０１から、ネットワーク接続ＩＰ端末検出装置ＴＤ４にＩＤ取得要求２０１が送られれば、要求元ＩＰ端末のＩＰアドレスに応じて生成したＩＤ情報を、ＩＤ情報生成手段４が、要求元ＩＰ端末に送信する。
【００６２】
ＩＤ情報取得を要求したＩＰ端末１０１は、ネットワーク接続ＩＰ端末検出装置ＴＤ４から送信されたＩＤ情報を受信し、ＩＤ情報に対応する音を発生させる。このＩＤ情報に対応する音は、ＩＰ端末１０１が１番目のＩＰ端末であれば、たとえば「１番です」の音である。
【００６３】
ＩＰ端末１０２〜１０４の動作は、ＩＰ端末１０１の上記動作と同様である。
【実施例５】
【００６４】
図６は、本発明の実施例５であるネットワーク接続ＩＰ端末検出装置ＴＤ５を示すブロック図である。
【００６５】
ネットワーク接続ＩＰ端末検出装置ＴＤ５は、ＩＰパケット送受信手段２と、ＩＰ端末一覧取得手段３と、ＩＤ情報生成手段４と、ＩＤ情報送信手段５と、ＩＰ端末一覧情報格納手段６と、ＩＤ情報送信中端末表示手段２２と、音発生用ＩＤ情報逐次送信手段４１とを有し、画面１２に接続されている。
【００６６】
ネットワーク接続ＩＰ端末検出装置ＴＤ５は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００６７】
ＩＤ情報生成手段４は、ＩＰ端末一覧情報格納手段６に格納されているＩＰアドレス一覧について、ＩＰアドレスに対応するＩＤ情報を生成する。
【００６８】
次に、ＩＰ端末１０１に着目した場合における実施例５の動作について説明する。
【００６９】
音発生用ＩＤ情報逐次送信手段４１は、ＩＰ端末一覧格納手段６に格納されているＩＰアドレスのＩＰ端末１０１に、ＩＰアドレスに対応したＩＤ情報を、順次送信する。
【００７０】
このとき、音発生用ＩＤ情報逐次送信手段４１は、同一時間には１台のＩＰ端末のみにＩＤ情報を送信しているので、ＩＤ情報に対応する音を発生するＩＰ端末は１台のみである。したがって、ユーザは音が発生したＩＰ端末、ならびに画面１２を参照することによって、音が発生したＩＰ端末のＩＰアドレスまたはＩＤ情報を知ることができる。
【００７１】
ＩＰ端末１０２〜１０４の動作は、ＩＰ端末１０１の上記動作と同様である。
【実施例６】
【００７２】
図７は、本発明の実施例６であるネットワーク接続ＩＰ端末検出装置ＴＤ６を示すブロック図である。
【００７３】
ネットワーク接続ＩＰ端末検出装置ＴＤ６は、ＩＰパケット送受信手段２と、ＩＰ端末一覧取得手段３と、ＩＤ情報生成手段４と、ＩＰ端末一覧情報格納手段６と、ＩＰ端末一覧表示手段１１と、ＩＰ端末選択手段５１と、選択ＩＰ端末用ＩＤ送信手段５３とを有し、画面１２と入力装置５２とに接続されている。
【００７４】
ネットワーク接続ＩＰ端末検出装置ＴＤ６は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００７５】
ＩＤ情報生成手段４は、ＩＰ端末一覧情報格納手段６に格納されているＩＰアドレス一覧について、ＩＰアドレスに対応するＩＤ情報を生成する。
【００７６】
次に、ＩＰ端末１０１に着目した場合における実施例５の動作について説明する。
【００７７】
ＩＰ端末一覧表示手段１１は、ＩＰ端末一覧情報格納手段６に格納されているＩＰアドレスとＩＤ情報との一覧を、画面１２に表示する。
【００７８】
ユーザが入力装置５２を操作すると、画面１２に表示されているＩＤ情報の中から、ＩＰ端末選択手段５１が、１個のＩＤ情報を選択する。入力装置５２としては、キーボード、マウス、タッチパネル、リモートコントローラ等がある。
【００７９】
選択ＩＰ端末用ＩＤ送信手段５３は、ユーザの操作によって選択されたＩＤ情報を、ＩＤ情報に対応するＩＰアドレスに送信する。
【００８０】
ＩＤ情報を受信したＩＰ端末１０１は、ＩＰ端末１０１の画面にＩＤ情報を表示する。
【００８１】
利用者は、ネットワーク接続ＩＰ端末検出装置ＴＤ６を操作して、選択したＩＰ端末１０１にＩＤ情報を送信することができる。この結果、ＩＰ端末１０１の画面に、ＩＤ情報が表示されるので、ＩＤ情報とＩＰ端末との対応をユーザが視認することができる。
【００８２】
ＩＰ端末１０２〜１０４の動作は、ＩＰ端末１０１の上記動作と同様である。
【実施例７】
【００８３】
図８は、本発明の実施例７であるネットワーク接続ＩＰ端末検出装置ＴＤ７を示すブロック図である。
【００８４】
ネットワーク接続ＩＰ端末検出装置ＴＤ７は、ＩＰパケット送受信手段２と、ＩＰ端末一覧取得手段３と、ＩＤ情報生成手段４と、ＩＰ端末一覧情報格納手段６と、ＩＰ端末一覧表示手段１１と、ＩＰ端末選択手段５１と、音発生用ＩＤ情報送信手段６１とを有し、画面１２と入力装置５２とに接続されている。
【００８５】
ネットワーク接続ＩＰ端末検出装置ＴＤ７は、ネットワーク７に接続され、ネットワーク７上を伝送するＩＰパケットを、ＩＰパケット送受信手段２が受信し、この受信したＩＰパケットに含まれている送信元ＩＰアドレス一覧を、ＩＰ端末一覧取得手段３が取得し、ＩＰ端末一覧情報格納手段６に格納する。
【００８６】
ＩＤ情報生成手段４は、ＩＰ端末一覧情報格納手段６に格納されているＩＰアドレス一覧について、ＩＰアドレスに対応するＩＤ情報を生成する。
【００８７】
次に、ＩＰ端末１０１に着目した場合における実施例７の動作について説明する。
【００８８】
ＩＰ端末一覧表示手段１１は、ＩＰ端末一覧情報格納手段６に格納されているＩＰアドレスとＩＤ情報の一覧とを、画面１２に表示する。
【００８９】
ユーザが入力装置５２を操作して、画面１２に表示されたＩＤ情報の中から、ＩＰ端末選択手段５１が、１個のＩＤ情報を選択する。
【００９０】
音発生用ＩＤ情報送信手段６１は、ユーザの操作によって選択されたＩＤ情報を、ＩＤ情報に対応するＩＰアドレスに送信する。
【００９１】
ＩＤ情報取得を受信したＩＰ端末１０１は、ネットワーク接続ＩＰ端末検出装置ＴＤ７から送信されたＩＤ情報を受信し、ＩＤ情報に対応する音を発生させる。このＩＤ情報に対応する音は、ＩＰ端末１０１が１番目のＩＰ端末であれば、たとえば「１番です」の音である。
【００９２】
ＩＰ端末１０２〜１０４の動作は、ＩＰ端末１０１の上記動作と同様である。
【００９３】
また、上記実施例において、ＩＰ端末を操作して、ＩＰアドレスを表示することが困難な場合でも、個々のＩＰ端末に割り当てられているＩＰアドレス情報の把握が可能である。
【００９４】
また、上記実施例において、ＩＰアドレス以外のＩＤ情報を表示することによって、個々のＩＰ端末とＩＤ情報との対応付けが可能である。
【００９５】
つまり、上記実施例は、多くのＩＰ端末に具備されている、ＨＴＴＰ（HyperText Transport Protocol）プロトコルに代表されるＴＣＰ／ＩＰプロトコルを利用したＩＰ端末画面上に文字列、画像等を表示し、音を発生する手段を利用する。具体的には、上記手段を利用して、個々のＩＰ端末がネットワーク接続ＩＰ端末検出装置にアクセスする状態を利用者が設定し、または個々のＩＰ端末がネットワーク接続ＩＰ端末検出装置に自動アクセスする手法を提供し、ネットワーク接続ＩＰ端末検出装置が特定のＩＰアドレスに送信したＩＤ情報に基づいて、ＩＰ端末の画面上に表示されているＩＤ情報、またはＩＰ端末が再生した音から、ＩＰアドレスとＩＰ端末との対応関係を、利用者が理解する手段を提供する。
【００９６】
また、必ずしもＩＰアドレスを知る必要はなく、ＩＤ等の情報と、このＩＤに対応するＩＰ端末の組み合わせが分かればよい場合には、ＩＰアドレスではなく、より単純で理解しやすいＩＤ情報を用いる。
【符号の説明】
【００９７】
ＡＤ１〜ＡＤ７…ネットワーク接続ＩＰ端末検出装置、
２…ＩＰパケット送受信手段、
３…ＩＰ端末一覧取得手段、
４…ＩＤ情報生成手段、
５…ＩＤ情報送信手段、
６…ＩＰ端末一覧情報格納手段、
１１…ＩＰ端末一覧表示手段、
１２…画面、
２１…ＩＤ情報逐次送信手段、
２２…ＩＤ情報送信中端末表示手段、
３１…音発生用ＩＤ情報送信手段、
４１…音発生用ＩＤ情報逐次送信手段、
５１…ＩＰ端末選択手段、
５２…入力装置、
５３…選択ＩＰ端末用ＩＤ送信手段、
６１…音発生用ＩＤ情報送信手段。
【図１】
2011003949.tif 000003
【図２】
2011003949.tif 000004
【図３】
2011003949.tif 000005
【図４】
2011003949.tif 000006
【図５】
2011003949.tif 000007
【図６】
2011003949.tif 000008
【図７】
2011003949.tif 000009
【図８】
2011003949.tif 000010